【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
金属成分を、混合物中で該金属成分を伴った他の金属および他の材料から選択的に分離する方法であって、
（ａ）前記金属成分が水溶液で錯アニオンを形成するように、前記混合物を該水溶液に供すことであって、該水溶液で１またはそれよりも多いその他の金属がカチオンまたは錯カチオンを形成するように供すこと、
（ｂ）前記錯アニオンが層状複水酸化物（ＬＤＨ）材の中間層内にインターカレートされるように、前記水溶液を
（ｉ）インシチュで前記層状複水酸化物（ＬＤＨ）材を形成するために１またはそれよりも多い添加剤、または
（ｉｉ）層状複水酸化物（ＬＤＨ）材
と接触させることであって、１またはそれよりも多い他の金属が前記ＬＤＨ材の結晶構造またはマトリックスに組み込まれるように接触させること、および
（ｃ）前記工程（ｂ）から得られる前記ＬＤＨを回収処理工程に付すことによって、該ＬＤＨの前記中間層から前記金属成分を選択的に回収すること
を含んで成る方法。
【請求項２】
工程（ａ）における前記錯アニオンのスペシエーションを制御するように、前記水溶液のｐＨレベルを制御する工程をさらに含んで成る、請求項１に記載の方法。
【請求項３】
前記水溶液から前記ＬＤＨを分離することをさらに含んで成り、
前記回収処理工程が、
（ｉ）少なくとも１つの置換アニオンをイオン交換溶液に添加することを含むイオン交換工程であって、前記置換アニオンが、イオン交換メカニズムによって、インターカレートされた錯アニオンの少なくともいくらかを置換し、それにより錯アニオンが前記中間層からイオン交換溶液に放出されることをもたらすイオン交換工程、または
（ｉｉ）前記ＬＤＨ材を熱処理または熱分解に付し、それによって、崩壊したまたは準安定のＬＤＨ材を形成すること
を含んで成る、請求項１または２に記載の方法。
【請求項４】
前記中間層からの前記錯アニオンの置換を促進し、および／または他の錯アニオンよりも好ましいタイプの錯アニオンのスペシエーションを促進するように、前記イオン交換工程が、ｐＨ条件を制御することをさらに含む、請求項３に記載の方法。
【請求項５】
前記置換剤が、１またはそれよりも多い次のＮＴＡ、ＥＤＴＡを含んで成り、および／または該置換剤が前記ＬＤＨ材でインターカレートされた錯アニオンに対して実質的により電気陰性である、請求項３または４に記載の方法。
【請求項６】
前記回収工程が、前記イオン交換工程後に前記ＬＤＨ材を分離することをさらに含んで成る、請求項３〜５のいずれかに記載の方法。
【請求項７】
前記熱処理工程が熱分解後の前記ＬＤＨ材の再結晶化をもたらすことで、前記予め選択された金属成分を含んで成る第１酸化物材および１またはそれよりも多いその他の金属を含んで成る第２酸化物材の形成をもたらす、請求項３に記載の方法。
【請求項８】
前記熱処理が、実質的に還元性条件下で実施される、請求項３または７に記載の方法。
【請求項９】
酸化物材の選択的な制御形成のために、前記熱処理または熱分解の前または間に、前記ＬＤＨ材に更なる添加剤を加えることをさらに含んで成る、請求項３、７および８のいずれかに記載の方法。
【請求項１０】
前記金属成分が、溶液で錯アニオンを形成することができる、ウラン、バナジウム、クロムまたは超ウラン金属を含んで成り、前記１またはそれよりも多いその他の金属が、希土類金属または超ウラン元素を含んで成る、請求項１〜９のいずれかに記載の方法。
【請求項１１】
前記金属成分がウランであり、また前記錯アニオンが、ＵＯ２（ＣＯ３）２２−、ＵＯ２（ＣＯ３）３４−、ＣａＵＯ２（ＣＯ３）３２−ＵＯ２（ＳＯ４）３４−などのウラニル錯アニオンを含んで成る、請求項１０に記載の方法。
【請求項１２】
前記水溶液を前記ＬＤＨ材と接触させる前記工程が、前記錯アニオンがインシチュで形成する該ＬＤＨ材の中間層内でインターカレートされ、１またはそれよりも多いその他の金属がインシチュで形成される該ＬＤＨ材の前記結晶構造またはマトリックスに組み込まれるように、該ＬＤＨ材の少なくとも一部を該水溶液に溶解すること、それによって、該水溶液に溶解したＬＤＨを得ること、該溶解したＬＤＨ材からＬＤＨ材のインシチュでの析出のための該水溶液での反応条件を制御することを含んで成る、請求項１〜１１のいずれかに記載の方法。
【請求項１３】
インシチュで層状複水酸化物（ＬＤＨ）材を形成するように、前記水溶液を１またはそれよりも多い添加剤と接触させる前記工程が、
（ａ）前記水溶液におけるマグネシウムおよび／またはアルミニウム含有シリケート材の添加、ならびに前記水溶液における該シリケート材の少なくとも一部の溶解によって、該シリケート材から水に、該マグネシウムおよび／または該アルミニウムの少なくとも一部を浸出すること、ならびに
（ｂ）インシチュで前記層状複水酸化物（ＬＤＨ）材を形成するために、前記水溶液において適切なＭｇ：Ａｌ比を達成するように、反応条件を制御すること
をさらに含んで成る、請求項１〜１１のいずれかに記載の方法。
【請求項１４】
前記マグネシウムおよびアルミニウム含有シリケート材を溶解させる前記工程が、
（ｉ）酸性ｐＨ条件下で前記シリケート材から前記マグネシウムおよびアルミニウムを浸出させること、または
（ｉｉ）アルカリ性条件下で前記シリケート材から前記アルミニウムを浸出させること
を含んで成る、請求項１３に記載の方法。
【請求項１５】
インシチュで前記ＬＤＨを形成するために、前記水溶液において前記適切なＭｇ：Ａｌ比を達成するように、前記反応条件を制御する前記工程が、少なくとも１つのＭｇ含有化合物および／または少なくとも１つのＡｌ含有化合物を添加することを含んで成る、請求項１３に記載の方法。
【請求項１６】
前記少なくとも１つのアルミニウム含有化合物が、アルミネート（Ａｌ（ＯＨ）４’もしくはＡｌＯ２−．２Ｈ２Ｏ）または硫酸アルミニウム、水酸化アルミニウムまたはアルミニウムを含む有機金属化合物を含んで成り、および／または前記少なくとも１つのＭｇ含有化合物が、ＭｇＯもしくはＭｇ（ＯＨ）２もしくはそれらの混合物を含んで成る、請求項１５に記載の方法。
【請求項１７】
インシチュで前記ＬＤＨを形成するために、前記反応条件を制御する前記工程が、実質的にアルカリ反応条件を供すことをさらに含んで成る、請求項１３〜１６のいずれかに記載の方法。
【請求項１８】
前記シリケート材が、アタパルジャイト、クリノプチロライト、セピオライト、タルク、バーミキュライトの１またはそれよりも多い材料である、請求項１３〜１７のいずれかに記載の方法。
【請求項１９】
マグネシウムおよび／またはアルミニウムがインシチュで形成される前記ＬＤＨの格子に組み込まれるように、水中おける前記１またはそれよりも多い溶解するカチオン種が、該マグネシウムおよび／またはアルミニウムのカチオンを含んで成る、請求項１３〜１８のいずれかに記載の方法。
【請求項２０】
インシチュで形成される前記ＬＤＨが、ハイドロタルサイトを含んで成る、請求項１〜１９のいずれかに記載の方法。
【請求項２１】
混合物中の他の希土類元素および他の材料からウランを選択的に分離する方法であって、
（ａ）ウラニル錯アニオンが水溶液で存在するように、該水溶液に前記混合物を供すこと、
（ｂ）前記ウラニル・アニオンが層状複水酸化物（ＬＤＨ）材の中間層内にインターカレートされるように、前記水溶液を
（ｉ）インシチュで前記層状複水酸化物（ＬＤＨ）材を形成するために１またはそれよりも多い添加剤、または
（ｉｉ）ＬＤＨ材
と接触させることであって、１またはそれよりも多い希土類元素が前記ＬＤＨ材の結晶構造またはマトリックスに組み込まれるように接触させること、および
（ｃ）インターカレートされたウラニル・イオンおよび／または工程（ｂ）からの前記ＬＤＨにおける前記１またはそれよりも多い組み込まれた希土類材を回収処理工程に付すことによって、該ＬＤＨの前記中間層からウランを選択的に回収することを含んで成る方法。